(57)【要約】【課題】従来に比べて植木鉢の受皿部分に溜まった排水を捨てることが容易な植木鉢用受皿を提供すること。【解決手段】植木鉢をその上に載置可能であって水を下方に逃がすための穴３を設けた植木鉢受け部２と、その下に設置された廃水タンク４とを有し、廃水タンク４は前方に引き出し可能であって、廃水タンク４の上面は、前側が下方に傾斜した傾斜部４ａと傾斜部４ａの下端付近に設けた廃水の流入口４ｂとを有している。廃水タンク４の前側に設けた取手５を持って廃水タンク４を前方に引き出して前側を上にして垂直に立てたときに、廃水を溜めることが可能なように、流入口４ｂよりも下側部分は箱状の構造を有している。【選択図】  図４
2014079174.tif 000002
【特許請求の範囲】
【請求項１】
植木鉢の下に設置される受皿であって、植木鉢をその上に載置可能であって水を下方に逃がすための穴を設けた植木鉢受け部と、該植木鉢受け部の下に設置された廃水タンクと、該廃水タンクに設けた廃水の流入口と、前記植木鉢受け部の穴から落ちる廃水を前記流入口に導く導水手段とを有し、前記廃水タンクは前方に引き出し可能であって、該廃水タンクを前方に引き出して前側を上にして垂直に立てたときに、該廃水タンクの前記流入口の下側部分に廃水を溜めることが可能な構造を有することを特徴とする植木鉢用受皿。
【請求項２】
前記植木鉢受け部の穴の下の前記廃水タンクの上面に前側が下方に傾斜した傾斜部を設け、該傾斜部の下端付近に前記流入口を設けることにより、前記導水手段を構成したことを特徴とする請求項１に記載の植木鉢用受皿。
【請求項３】
前記廃水タンクの上面に、該廃水タンクを前側を上にして垂直に立てたときに、前記上面に残存する廃水を溜めておくことが可能なポケット部を有することを特徴とする請求項２に記載の植木鉢用受皿。
【請求項４】
前記廃水タンクは後端より前端が下方に位置するように傾斜して配置された平板状の上板と、左右の側板と、底板と、後板および前板とにより箱状に構成され、前記上板の前端と前記前板との間に間隙を有し、該間隙を前記流入口としたことを特徴とする請求項２または請求項３に記載の植木鉢用受皿。
【請求項５】
前記廃水タンクの前側に該排水タンクを引き出すための取手を設けたことを特徴とする請求項１乃至請求項４のいずれか１項に記載の植木鉢用受皿。
【発明の詳細な説明】
【技術分野】
【０００１】
本発明は、植木鉢の下に設置される受皿であって、特に廃水を貯める廃水タンクを設けた植木鉢用受皿に関する。
【背景技術】
【０００２】
一般に、植木鉢の植物に与えた水の廃水を受けるための受皿を植木鉢の下に設置するが、植物が大きな観葉植物などのように大きくて重い場合、受皿に溜まった水を捨てるのが困難となる。この場合、受皿に水が溜まったままとなる場合が多く、根腐れの原因となってしまう。
【０００３】
そこで、受皿に溜まった水を捨てやすくする手段として、受皿に引き出し型の廃水トレーを設け、その廃水トレーだけを取り出して水を捨てることができる受皿が特許文献１および２に記載されている。
【先行技術文献】
【特許文献】
【０００４】
【特許文献１】特開２００１−３４６４５１号公報
【特許文献２】特開平８―２８０２６６号公報
【発明の概要】
【発明が解決しようとする課題】
【０００５】
上記の従来の特許文献1や２に記載の受皿では、廃水トレーがない場合に比べて廃水を捨てることは容易となったが、廃水トレーを引き出して溜まった水をこぼさないように、廃水トレーを水平に保って排水場所まで運ぶ必要があった。これは排水場所が植木鉢から離れている場合や廃水の量が多い場合、やはり簡単な作業ではなかった。
【０００６】
そこで、本発明は、係る問題を解決するためになされたものであり、従来に比べて植木鉢の受皿部分に溜まった排水を捨てることが容易な植木鉢用受皿を提供することを目的とする。
【課題を解決するための手段】
【０００７】
第１の観点では、本発明は、植木鉢の下に設置される受皿であって、植木鉢をその上に載置可能であって水を下方に逃がすための穴を設けた植木鉢受け部と、該植木鉢受け部の下に設置された廃水タンクと、該廃水タンクに設けた廃水の流入口と、前記植木鉢受け部の穴から落ちる廃水を前記流入口に導く導水手段とを有し、前記廃水タンクは前方に引き出し可能であって、該廃水タンクを前方に引き出して前側を上にして垂直に立てたときに、該廃水タンクの前記流入口の下側部分に廃水を溜めることが可能な構造を有することを特徴とする植木鉢用受皿を提供する。
【０００８】
上記のように、本発明では、廃水タンクと植木鉢受け部の穴から落ちる廃水を廃水タンクの流入口に導く導水手段とを設けている。廃水タンクを前方に引き出して前側を上にして垂直に立てたときに、廃水タンクに溜まった水がその下側部分に設けた廃水を溜めることが可能な構造、すなわち廃水溜めに移動して保持されるので、廃水タンクを立てたまま持ち運ぶことが可能となる。廃水タンクの前側に握りやすい部分を設けたり取手を取り付けることにより、そこを持って容易に排水場所に持ち運ぶことが可能となり、従来に比べて植木鉢の受皿部分に溜まった廃水を捨てることが容易となる。
【０００９】
第２の観点では、本発明は、前記第1の観点の植木鉢用受皿において、前記植木鉢受け部の穴の下の前記廃水タンクの上面に前側が下方に傾斜した傾斜部を設け、該傾斜部の下端付近に前記流入口を設けることにより、前記導水手段を構成したことを特徴とする。これにより、植木鉢受け部の穴が中央にある場合でも、廃水タンクの上面の傾斜を伝わって廃水が廃水タンクの流入口に導かれるので、簡単な構造で本発明が実現できる。
【００１０】
第３の観点では、本発明は、前記第２の観点の植木鉢用受皿において、前記廃水タンクの上面に、該廃水タンクを前側を上にして垂直に立てたときに、前記上面に残存する廃水を溜めておくことが可能なポケット部を有することを特徴とする。このような構成により、廃水タンクを前方に引き出して前側を上にして垂直に立てたときに、植木鉢から廃水タンクの上面に落ち上面に留まっている廃水タンクに流入する前の汚れた水滴などが床などに落下するのを防止することができる。
【００１１】
第４の観点では、本発明は、前記第２または第３の観点の植木鉢用受皿において、前記廃水タンクは後端より前端が下方に位置するように傾斜して配置された平板状の上板と、左右の側板と、底板と、後板および前板とにより箱状に構成され、前記上板の前端と前記前板との間に間隙を有し、該間隙を前記流入口としたことを特徴とする。このように廃水タンクを６枚の板状部材を用いて箱状に構成し、上板を前側が下方になるように傾斜して配置し、上板と前板との間に隙間を空けてそこを廃水の流入口とすることにより、本発明に使用する廃水タンクを簡単に、また安価に実現することができる。また、廃水タンクを前方に引き出して前側を上にして垂直に立てたときに、上板の上端の位置まで廃水がこぼれないので、多量の廃水を貯めることができる。
【００１２】
第５の観点では、本発明は、前記第１乃至第４の観点の植木鉢用受皿において、前記廃水タンクの前側に該廃水タンクを引き出すための取手を設けたことを特徴とする。前に引出すことができる廃水タンクの前側に持ちやすい取手を設けることにより、廃水タンクの引出しおよび運搬がより容易となる。
【発明の効果】
【００１３】
上記のように、本発明により、従来に比べて植木鉢の受皿部分に溜まった廃水を捨てることが容易な植木鉢用受皿が得られる。
【図面の簡単な説明】
【００１４】
【図１】実施例１に係る植木鉢用受皿を示す斜視図。
【図２】図１のＡ−Ａ断面図。
【図３】実施例２に係る植木鉢用受皿を示す斜視図。
【図４】図３のＡ−Ａ断面図。
【図５】実施例２に用いる廃水タンクの斜視図。
【図６】実施例３に係る植木鉢用受皿を示す斜視図。
【図７】図６のＡ−Ａ断面図。
【図８】実施例３に用いる廃水タンクの斜視図。
【図９】実施例４に用いる廃水タンクの斜視図。
【発明を実施するための形態】
【００１５】
以下、図面を参照して本発明の植木鉢用受皿を実施例により詳細に説明する。なお、図面の説明において同一の要素には同一符号を付し、その重複した説明を省略する。
【実施例１】
【００１６】
図１は、実施例１に係る植木鉢用受皿を示す斜視図である。図２は図１のＡ−Ａ断面図である。図１、図２に示すように、本実施例の植木鉢用受皿３０は、植木鉢の下に設置される受皿であって、植木鉢をその上に載置可能であって水を下方に逃がすための穴３３を設けた植木鉢受け部３２と、植木鉢受け部３２の下に設置された廃水タンク３４とを有し、廃水タンク３４は前方に引き出し可能であって、廃水タンク３４の前側には廃水タンク３４を引き出すための取手３５を設けている。この取手３５を持って廃水タンク３４を前方に引き出して前側を上にして垂直に立てたときに、廃水タンク３４の流入口３４ｂよりも下側部分に廃水を溜めることが可能なように、流入口３４ｂよりも下側部分は箱状の構造を有している。
【００１７】
また、本実施例においては、植木鉢受け部の穴３３から落ちる廃水を流入口３４ｂに導く導水手段として、植木鉢受け部３２は、その上に載せた植木鉢の底の穴の下側に位置する中央部分から端の部分まで傾斜部３２ａを設け、その傾斜部３２ａの下端に穴３３を設けている。これにより、植木鉢から排出される水は、傾斜部３２ａの上に落下し、その水は傾斜部３２ａを伝わって穴３３から流入口３４ｂに流れ落ちる。このようにして一定期間を経過して廃水タンク３４に溜まった廃水は、廃水タンク３４のみを植木鉢用受皿３０から取り出して捨てることができる。これにより、植木鉢の植物の大きさや重さによらず容易に排水することができる。さらに、本実施例においては、その廃水を捨てる場合に、廃水タンク３４を前方に引き出して前側を上にして垂直に立てて持ち運ぶことができるので、廃水をこぼすことなく離れた排水場所まで簡単に運ぶことができる。なお、植木鉢用受皿３０の形状や構成材料は従来の植木鉢用受皿と同様な形状や材料を選択することができる。
【実施例２】
【００１８】
図３は、実施例２に係る植木鉢用受皿を示す斜視図である。図４は図３のＡ−Ａ断面図であり、図５は本実施例に用いる廃水タンクの斜視図である。図３、図４、図５に示すように、本実施例の植木鉢用受皿１は、植木鉢の下に設置される受皿であって、植木鉢をその上に載置可能であって水を下方に逃がすための穴３を設けた植木鉢受け部２と、植木鉢受け部２の下に設置された廃水タンク４とを有し、廃水タンク４は前方に引き出し可能であって、廃水タンク４の上面は、前側が下方に傾斜した傾斜部４ａと傾斜部４ａの下端付近に設けた廃水の流入口４ｂとを有している。また、廃水タンク４の前側には廃水タンク４を引き出すための取手５を設けている。この取手５を持って廃水タンク４を前方に引き出して前側を上にして垂直に立てたときに、廃水タンク４の流入口４ｂよりも下側部分に廃水を溜めることが可能なように、流入口４ｂよりも下側部分は箱状の構造を有している。
【００１９】
本実施例においては、植木鉢受け部２の上に載せた植木鉢の底の穴より排出される水は、植木鉢受け部２の中央の窪みの中心に開けられた穴３より廃水タンク４の上面の傾斜部４ａの上に落下するように設定されており、その水は傾斜部４ａを伝わって流入口４ｂに流れ落ちる。本実施例の植木鉢用受け皿においても実施例１と同様に、植木鉢の植物の大きさや重さによらず容易に排水することができ、廃水タンク４を垂直に立てて持ち運ぶことができるので、廃水をこぼすことなく離れた排水場所まで簡単に運ぶことができる。さらに、流入口４ｂを小さくしてそこから捨てることにより、小さな受け口の排水口にも注ぎ入れることができる。
【実施例３】
【００２０】
図６は、実施例３に係る植木鉢用受皿を示す斜視図である。図７は図４のＡ−Ａ断面図であり、図８は本実施例に用いる廃水タンクの斜視図である。図６、図７、図８に示すように、本実施例の植木鉢用受皿１０は、植木鉢の下に設置される受皿であって、植木鉢をその上に載置可能であって水を下方に逃がすための穴１３を設けた植木鉢受け部１２と、植木鉢受け部１２の下に設置された廃水タンク１４とを有している。廃水タンク１４は、前方に引き出し可能であって、後端より前端が下方に位置するように傾斜して配置された平板状の上板１４ａと、左右の側板１４ｃと、底板１４ｄと、後板１４ｅおよび前板１４ｆとにより箱状に構成され、上板１４ａの前端と前板１４ｆとの間に間隙を有し、その間隙を流入口１４ｂとしている。廃水タンク１４の前側には廃水タンク１４を引き出すための取手１５を設け、取手１５を持って廃水タンク１４を前方に引き出して前側を上にして垂直に立てたときに、流入口１４ｂよりも下側部分に廃水を溜めることができる。
【００２１】
また、本実施例の植木鉢用受皿１０は、重い植木鉢に備え、植木鉢受け部１２と底部１８との間に、植木鉢の重量を支えるための３本の柱１７を備えており、廃水タンク１４の後部には、図８に示すように、柱１７を避けるためのへこみ部１４ｇが形成されている。さらに、本実施例においては、上板１４ａの上面に、植木鉢受け部１２の穴１３から落下した廃水が上面から横にこぼれ落ちないように、上面の周囲に凸状の堰１９を設けている。
【００２２】
本実施例においても、植木鉢の底の穴より排出される水は、穴１３より廃水タンク１４の上板１４ａの上面に落下し、その水は上板１４ａの上面を伝わって流入口１４ｂに流れ落ち、廃水タンク１４に溜まった廃水は、廃水タンク１４のみを取り出し、垂直に立てたまま運搬して捨てることができる。
【実施例４】
【００２３】
図９は、実施例４に係る植木鉢用受皿に用いる廃水タンクの斜視図である。本実施例の植木鉢用受皿は、廃水タンク以外の構成は実施例３と同じである。図９に示すように、本実施例の廃水タンク２４は、基本的な構造、すなわち傾斜して配置された平板状の上板１４ａと、左右の側板１４ｃと、底板１４ｄと、後板１４ｅおよび前板１４ｆとにより箱状に構成され、上板１４ａの前端と前板１４ｆとの間に間隙を有し、その間隙を流入口１４ｂとしていることなどは実施例３の排水タンク１４と同じである。但し、本実施例の廃水タンク２４は、廃水タンク２４の上面に、廃水タンク２４を前側を上にして垂直に立てたときに、その上面に残存する廃水を溜めておくことが可能なポケット部２１を有している。
【００２４】
本実施例においては、廃水タンク２４の上面の前端部以外の端に、廃水が上面から横にこぼれ落ちないように、ある程度の高さの縁２２を設け、上面の後端部においてその縁２２を上から塞ぐようにしてポケット部２１を形成している。これにより、排水タンクを引き出して垂直に立てたときに、上面に留まっている汚れた水滴などをポケット部２１で受け止めることができ、水滴が床などに落下するのを防止することができる。
【００２５】
なお、本発明は上記の実施例に限定されるものではないことは言うまでもなく、目的や用途に応じて設計変更可能である。植木鉢受け部や廃水タンクなどの形状や材料も任意に選択可能である。また、廃水タンクの上面から廃水がこぼれ落ちるのを防ぐために設ける堰や縁の形状も任意に選択できる。また、廃水タンクの下部または後部に蓋付きの排水用の穴を設け、排水時にその蓋を外して排水する構成も可能である。また、取手の代わりに、廃水タンクの前側部分を握ることが可能な穴や切込み、窪みなどを設けてもよい、
【符号の説明】
【００２６】
１、１０、３０    植木鉢用受皿
２、１２、３２    植木鉢受け部
３、１３、３３    穴
４、１４、２４、３４    廃水タンク
４ａ、３２ａ      傾斜部
４ｂ、１４ｂ、３４ｂ    流入口
５、１５、３５    取手
１４ａ            上板
１４ｃ            側板
１４ｄ            底板
１４ｅ            後板
１４ｆ            前板
１４ｇ            へこみ部
１７              柱
１８              底部
１９              堰
２１              ポケット部
２２              縁 
【図１】
2014079174.tif 000003
【図２】
2014079174.tif 000004
【図３】
2014079174.tif 000005
【図４】
2014079174.tif 000006
【図５】
2014079174.tif 000007
【図６】
2014079174.tif 000008
【図７】
2014079174.tif 000009
【図８】
2014079174.tif 000010
【図９】
2014079174.tif 000011
【手続補正書】
【提出日】平成25年2月7日(2013.2.7)
【手続補正１】
【補正対象書類名】特許請求の範囲
【補正対象項目名】請求項１
【補正方法】変更
【補正の内容】
【請求項１】
植木鉢の下に設置される受皿であって、植木鉢をその上に載置可能であって水を下方に逃がすための穴を設けた植木鉢受け部と、該植木鉢受け部の下に設置された廃水タンクと、該廃水タンクに設けた廃水の流入口と、前記植木鉢受け部の穴から落ちる廃水を前記流入口に導く導水手段とを有し、前記廃水タンクは前方に引き出し可能であって、該廃水タンクを前記植木鉢受部の下に設置した時に前記流入口は前記植木鉢受部の中心よりも前方側に位置するように構成され、該廃水タンクを前方に引き出して前側を上にして垂直に立てたときに、該廃水タンクの前記流入口の下側部分に廃水を溜めることが可能な構造を有することを特徴とする植木鉢用受皿。